(57)【要約】      （修正有）【課題】ブラシ収容部の側壁部の外力に対する変形を抑制して、落下時にフランジが台紙から剥離するという不具合を効果的に防止可能な歯ブラシ用のブリスター包装体を提供する。【解決手段】歯ブラシを収容する収容部２１、および該収容部２１の周囲に連設されたフランジ２２を有する合成樹脂シート製の外装体２０と、収容部２１の開口を塞ぐように、フランジ２２に接着された台紙１１とを備え、陳列用のフック部を上部に備えたブリスター包装体において、収容部２１は、歯ブラシのブラシ部４を収容するブラシ収容部２５を備え、ブラシ収容部２５の側壁部２５ａ、２５ｂにおけるフランジ２２との連設部に、ブラシ収容部２５の全長にわたって、側方へ突出する突出幅が０．３ｍｍ〜１．０ｍｍの補強突条３６を設けた。【選択図】図４Ａ
2019073296.tif 000002
【特許請求の範囲】
【請求項１】
歯ブラシを所定位置に保持した状態に収容する収容部、および該収容部の周囲に連設されたフランジを有する合成樹脂シート製の外装体と、
前記収容部の開口を塞ぐように、前記フランジに接着される台紙とを備え、陳列用の引っ掛け部を上部に備えた歯ブラシ用のブリスター包装体において、
前記収容部は、前記歯ブラシのブラシ部を収容するブラシ収容部を備え、
前記ブラシ収容部の側壁部における前記フランジとの連設部に、前記ブラシ収容部の全長にわたって、側方へ突出する突出幅ＲＷが０．３ｍｍ〜１．０ｍｍの補強突条を設けた、
ことを特徴とする歯ブラシ用のブリスター包装体。
【請求項２】
前記補強突条を、前記収容部のうちの、前記ブラシ収容部と、前記歯ブラシの首部を収容する首部収容部と、前記歯ブラシのハンドル部を収容するハンドル収容部のそれぞれの側壁部における前記フランジとの連設部に、前記ブラシ収容部と首部収容部とハンドル収容部の全長にわたって設けた請求項１記載の歯ブラシ用のブリスター包装体。
【請求項３】
前記歯ブラシの植毛台における毛束の植毛面を前側へ向けて、前記歯ブラシが前記収容部に収容されている請求項１又は２記載の歯ブラシ用のブリスター包装体。
【請求項４】
前記ブラシ収容部のブラシ部を覆うブラシ収容部本体の最大突出高さＢＨが１４ｍｍ以上２２ｍｍ以下に設定され、前記ブラシ収容部本体の最大突出高さ部分の最大幅ＢＷが１３ｍｍ以上３２ｍｍ以下に設定されている請求項１〜３のいずれか１項記載の歯ブラシ用のブリスター包装体。
【請求項５】
前記外装体の幅ＧＷが２５ｍｍ〜４５ｍｍに設定され、前記フランジの幅ＦＷが、２ｍｍ〜４ｍｍに設定されている請求項１〜４のいずれか１項記載の歯ブラシ用のブリスター包装体。
【請求項６】
前記フランジの厚さＦＴが２００μｍ以上２８０μｍ以下に設定されている請求項１〜５のいずれか１項記載の歯ブラシ用のブリスター包装体。
【請求項７】
前記外装体が、ポリエチレンテレフタレートを用いてなる請求項１〜６のいずれか１項記載の歯ブラシ用のブリスター包装体。
【発明の詳細な説明】
【技術分野】
【０００１】
本発明は、ハンガーに縦向きに吊り下げて陳列可能な歯ブラシ用のブリスター包装体に関する。
【背景技術】
【０００２】
歯ブラシ用のブリスター包装体として、歯ブラシを収容する収容部と、収容部の周囲に連設されたフランジとを有する外装体と、収容部の開口を塞ぐように、外装体のフランジに接着される細長い台紙とを備え、店舗に設置される陳列棚の奥部側から前方へ向けて延びる陳列用の棒状のハンガーに、ブリスター包装体の上部に設けたフック部を引っ掛けて、縦向きに吊り下げて陳列可能となしたものが種々提案され、実用化されている（例えば、特許文献１，２参照。）。
【０００３】
通常、外装体は、内容物としての歯ブラシを明確に目視できるように、ポリエチレンテレフタレートなどの透明な合成樹脂シート材で構成され、該合成樹脂シート材を所望形状に真空成形したものが広く採用されている。
【０００４】
ブリスター包装体の収容部内において歯ブラシは、消費者に対して最も強調したい面が前面側となるように、例えば、特許文献１記載のブリスター包装体のように、植毛台に対する毛束の植設配列が強調されるように、植毛面が前面側となるように歯ブラシを収容保持されており、また特許文献２記載のブリスター包装体では、ブラシ部の側面が強調されるように、植毛台における毛束の植設面が、台紙に対して略直交するように収容保持されている。
【０００５】
また、特許文献１記載のように、外装体の幅方向の中央部に歯ブラシを収容保持したものも実用化されているが、特許文献２記載のように、外装体の幅方向の中央部から一側方へオフセットさせた位置に歯ブラシを収容保持して、ブリスター包装体を前側から見たときにおける、歯ブラシのブラシ部及び首部の側方位置における台紙の表示面を極力大きく設定するように構成したものも広く実用化されている。
【０００６】
更に、成人向けの歯ブラシの毛丈は、通常、８ｍｍ〜１３ｍｍに設定されているが、日本などの先進国では高齢化の影響により、歯肉炎や歯周病の患者数が増えつつあり、ブラッシング時に歯肉を痛めないようにするため、植毛台に植設されるフィラメントとして、毛丈が９ｍｍ〜１５ｍｍと長く、歯肉への当たりがソフトな歯ブラシの需要が増えつつある。
【先行技術文献】
【特許文献】
【０００７】
【特許文献１】特開平７−３１５４３３号公報
【特許文献２】特開２０１４−１７２６２９号公報
【発明の概要】
【発明が解決しようとする課題】
【０００８】
ところで、歯ブラシの毛丈を長くすると、それに応じてブリスター包装体のブラシ収容部の突出高さが高くなり、真空成形により外装体を成形した場合に、ブラシ収容部の側壁部の厚さが薄くなって、該側壁部が変形し易くなるという不具合がある。また、ブラシ収容部の側壁部が変形し易くなることから、フランジのうちのブラシ収容部の側壁部との連設部分も変形し易くなり、落下時等の衝撃で、フランジの該部分が台紙から剥離するという問題がある。特に、特許文献２記載のように、外装体の幅方向の中央部からオフセットさせた位置に歯ブラシを収容すると、ブラシ収容部の一方の側壁部がフランジに接近配置されることから、該一方の側壁部が他方の側壁部よりも薄肉になり、落下時等における前記剥離の問題が発生し易くなる。
【０００９】
一方、上記問題を解決するために、外装体を構成する合成樹脂シートとして、厚肉なものを採用して、ブラシ収容部の側壁部の厚さを十分に確保することも考えられるが、そのように構成すると、ブリスター包装体の製作コストが高くなるという問題がある。
【００１０】
また、フランジの幅を広く設定して、フランジと台紙との接着強度を高めることも考えられるが、歯ブラシ用のブリスター包装体は、左右に間隔をあけて配置される複数の陳列用のハンガーに並列状に吊り下げて陳列される関係上、ブリスター包装体の幅を現状よりも広くすることができず、フランジの幅を広く設定すると、左右に陳列されるブリスター包装体が干渉するという問題が発生する。
【００１１】
更に、ブラシ収容部の開口幅を広く設定して、真空成形による側壁部の薄肉化を抑制することも考えられるが、収容部内における歯ブラシの移動を拘束するための部分を別途設ける必要があり、ブリスター包装体の大幅な設計変更が必要になるとともに、ブリスター包装体の設計自由度が低下するという問題がある。
【００１２】
本発明の目的は、ブリスター包装体の幅を広く設定したり、外装体を構成する合成樹脂シートの厚さを厚く設定したり、大幅な設計変更を行ったり、設計自由度を低下させたりすることなく、ブラシ収容部の側壁部の外力に対する変形を抑制して、落下時にフランジが台紙から剥離するという不具合を効果的に防止可能な歯ブラシ用のブリスター包装体を提供することである。
【課題を解決するための手段】
【００１３】
本発明は、以下の発明を包含する。
（１）歯ブラシを所定位置に保持した状態に収容する収容部、および該収容部の周囲に連設されたフランジを有する合成樹脂シート製の外装体と、前記収容部の開口を塞ぐように、前記フランジに接着される台紙とを備え、陳列用の引っ掛け部を上部に備えた歯ブラシ用のブリスター包装体において、前記収容部は、前記歯ブラシのブラシ部を収容するブラシ収容部を備え、前記ブラシ収容部の側壁部における前記フランジとの連設部に、前記ブラシ収容部の全長にわたって、側方へ突出する突出幅ＲＷが０．３ｍｍ〜１．０ｍｍの補強突条を設けた、ことを特徴とする歯ブラシ用のブリスター包装体。
【００１４】
このブリスター包装体では、ブラシ収容部の側壁部におけるフランジとの連設部に、ブラシ収容部の全長にわたって、側方へ突出する突出幅ＲＷが０．３ｍｍ〜１．０ｍｍの補強突条を設けるという簡単な構成で、該補強突条によりブラシ収容部の側壁部のフランジ側の端部を補強して、ブラシ収容部の側壁部の外力に対する変形を抑制できる。
【００１５】
このため、例えば、毛丈の長い歯ブラシを収容するために、ブラシ収容部の高さを高く設定する場合であっても、外装体を構成する合成樹脂シートの厚さを厚くしたりすることなく、ブリスター包装体の落下時等における衝撃により、フランジが台紙から剥離して、ブリスター包装体が破損するという不具合を効果的に防止できる。しかも、補強突条の突出幅ＲＷが０．３ｍｍ〜１．０ｍｍに設定され、ブラシ収容部の側壁部を僅かな距離だけ外装体の中央部側へ配置させるだけで補強突条を形成できるので、ブリスター包装体の幅を広く設定したり、ブリスター包装体の大幅な設計変更を行ったり、ブリスター包装体の設計自由度を低下させたりすることなく、補強突条を設けることができる。
【００１６】
（２）前記補強突条を、前記収容部のうちの、前記ブラシ収容部と、前記歯ブラシの首部を収容する首部収容部と、前記歯ブラシのハンドル部を収容するハンドル収容部のそれぞれの側壁部における前記フランジとの連設部に、前記ブラシ収容部と首部収容部とハンドル収容部の全長にわたって設けた前記（１）記載の歯ブラシ用のブリスター包装体。この発明では、ブリスター包装体の落下時における衝撃を、補強突条により効果的に受け止めて、落下時における衝撃で外装体のフランジが台紙から剥離するという不具合を一層効果的に防止できる。
【００１７】
（３）前記歯ブラシの植毛台における毛束の植毛面を前側へ向けて、前記歯ブラシが前記収容部に収容されている前記（１）又は（２）記載の歯ブラシ用のブリスター包装体。この発明では、近年需要の増えている毛丈の長い歯ブラシであっても、ブリスター包装体の幅を広く設定したり、外装体を構成する合成樹脂シートの厚さを厚くしたりすることなく収容できる。
【００１８】
（４）前記ブラシ収容部のブラシ部を覆うブラシ収容部本体の最大突出高さＢＨが１４ｍｍ以上２２ｍｍ以下に設定され、前記ブラシ収容部本体の最大突出高さ部分の最大幅ＢＷが１３ｍｍ以上３２ｍｍ以下に設定されている前記（１）〜（３）のいずれかに記載の歯ブラシ用のブリスター包装体。本発明では、ブラシ収容部本体の最大突出高さ及び最大幅がこのような数値範囲の外装体を無理なく成形できる。
【００１９】
（５）前記外装体の幅ＧＷが２５ｍｍ〜４５ｍｍに設定され、前記フランジの幅ＦＷが、２ｍｍ〜４ｍｍに設定されている前記（１）〜（４）のいずれかに記載の歯ブラシ用のブリスター包装体。外装体の幅ＧＷ及びフランジの幅ＦＷをこのように設定することで、左右に隣接するブリスター包装体が接触しないように、左右に間隔をあけて配置される汎用の複数の陳列用のハンガーに、ブリスター包装体を並列状に吊り下げて陳列することができる。
【００２０】
（６）前記フランジの厚さＦＴが２００μｍ以上２８０μｍ以下に設定されている前記（１）〜（５）のいずれかに記載の歯ブラシ用のブリスター包装体。フランジの厚さＦＴは、外装体の真空成形時に用いる合成樹脂製の素材シートと略同じ厚さであるが、本発明では、このような厚さの素材シートを用いて外装体を成形した場合であっても、落下時における破損を効果的に防止できる。
【００２１】
（７）前記外装体が、ポリエチレンテレフタレートを用いてなる前記（１）〜（６）のいずれかに記載の歯ブラシ用のブリスター包装体。外装体を構成する、合成樹脂シート材としては、任意の合成樹脂材料からなるものを採用できるが、透明性や成型性に優れていることからポリエチレンテレフタレートが好適である。
【発明の効果】
【００２２】
本発明に係る歯ブラシ用のブリスター包装体によれば、外装体を構成する合成樹脂シートの厚さを厚くしたりすることなく、ブリスター包装体の落下時等における衝撃により、フランジが台紙から剥離して、ブリスター包装体が破損するという不具合を効果的に防止できる。しかも、補強突条の突出幅ＲＷが０．３ｍｍ〜１．０ｍｍに設定することにより、ブラシ収容部の側壁部を僅かな距離だけ外装体の中央部側へ配置させるだけで補強突条を形成できるので、ブリスター包装体の幅を広く設定したり、ブリスター包装体の大幅な設計変更を行ったり、ブリスター包装体の設計自由度を低下させたりすることなく、補強突条を設けることができる。
【図面の簡単な説明】
【００２３】
【図１】ブリスター包装体の斜視図
【図２】ブリスター包装体の正面図
【図３】ブリスター包装体の側面図
【図４Ａ】図２のＡ−Ａ線断面図
【図４Ｂ】図２のＢ−Ｂ線断面図
【図４Ｃ】図２のＣ−Ｃ線断面図
【図５】ブラシ収容部付近の要部横断面図
【図６】摘まみ部付近の拡大正面図
【発明を実施するための形態】
【００２４】
以下、本発明の実施の形態について図面を参照しながら説明する。なお、本実施の形態では、図２、図３に示すように、ブリスター包装体を陳列用のハンバーに引っ掛けて、縦向き姿勢に支持した状態を基準に、前後方向（外装体１０が前側、台紙１１が後ろ側）、左右方向、上下方向を定義して説明する。
【００２５】
図１〜図３に示すように、ブリスター包装体１０は、歯ブラシ１を縦向きに保持した状態に収容する収容部２１、および収容部２１の周囲に連設されたフランジ２２を有する合成樹脂シート製の外装体２０と、収容部２１の開口を塞ぐように、フランジ２２に接着される台紙１１とを備えている。なお、フランジ２２と台紙１１とは、図１、図２、図６において網点で図示の部分が接着されている。
【００２６】
ブリスター包装体１０に収容される歯ブラシ１としては、図１〜図３、図４Ａに示すように、植毛台２ａと首部２ｂとハンドル部２ｃとを有する柄２と、植毛台２ａに植設された複数の毛束３とを備え、合成樹脂製の複数本のフィラメントからなる毛束３を、植毛台２ａに植設してブラシ部４を形成したものであれば、任意の周知の構成のものを採用できる。
【００２７】
ブラシ部４の毛丈（毛束３の植毛台２ａからの突出長さ）ＴＨは、任意に設定可能で、例えば８ｍｍ〜１３ｍｍの範囲に設定してもよい。本発明のブリスター包装体１０では、ブラシ収容部２５の突出高さを高くできるので、毛丈ＴＨの長い、例えば毛丈ＴＨが９ｍｍ〜１５ｍｍの歯ブラシを収容するのに好適である。
【００２８】
台紙１１は、上下方向に細長い短冊状の紙、合成樹脂シート、ラミネート紙などで構成され、収容部２１の開口を塞ぐように、その外周部を外装体２０のフランジ２２に重ね合わせて接着されている。台紙１１とフランジ２２の接着は、例えばホットメルトタイプなどの接着剤を用いてヒートシールや超音波シールなどにより接着できる。
【００２９】
ブリスター包装体１０の上部には、引っ掛け部としてのフック部１２が設けられ、図２、図３に示すように、店舗に設置される陳列棚の奥部側から前方へ向けて延びる陳列用の棒状のハンガー５にフック部１２を引っ掛けて、ブリスター包装体１０を縦向きに吊るして陳列できるように構成されている。なお、引っ掛け部としては、ハンガー５が挿通する貫通孔をブリスター包装体１０の上部に形成したり、ブリスター包装体１０とは別部材からなるフック部材をブリスター包装体１０に取り付けたりすることも可能である。
【００３０】
図１、図２、図４Ｃ、図６に示すように、外装体２０の左隅部には台紙１１に対して隙間をあけて配置される浮き上がり片２３が設けられ、台紙１１の左隅部には外装体２０に接着されていない摘まみ部１１ａが形成され、摘まみ部１１ａを指で摘まんで、外装体２０から台紙１１を引き剥がし、ブリスター包装体１０に収容された歯ブラシ１を取り出せるように構成されている。なお、浮き上がり片２３と収容部２１間に配置されるフランジ２２には、台紙１１に対して非接着に重ね合わされる重着部２２ａが形成され、収容部２１内に異物が侵入しないようにしつつ、収容部２１内の通気性が確保されるように構成されている。
【００３１】
外装体２０は、図１〜図６に示すように、合成樹脂シートを用いて、真空成形、圧空成形、真空圧空成形などにより成形されている。合成樹脂シートの素材としては、ポリエステル系樹脂、ポリカーボネート系樹脂、ポリエチレン系樹脂、ポリプロピレン系樹脂、ポリスチレン系樹脂等を採用できる。これらの内でも、ポリエステル系樹脂、とりわけポリエチレンテレフタレート樹脂を用いるのが、透明性や成型性に優れていることから好ましい。なお、外装体２０を構成する成形前の素材シートの厚さは、フランジ２２の厚さＦＴと同じ略厚さになる。
【００３２】
外装体２０の幅ＧＷは、任意に設定可能であるが、例えば２５ｍｍ〜４５ｍｍに設定できる。外装体２０の長さＧＬは、歯ブラシ１の長さなどに応じて任意に設定可能であるが、成人用の歯ブラシ１を収容する場合には、例えば２００ｍｍ〜２４０ｍｍに設定できる。外装体２０の外縁と台紙１１の外縁とは、正面視において同一形状同一寸法に構成されている。
【００３３】
フランジ２２の幅ＦＷは、任意に設定可能であるが、例えば２ｍｍ〜４ｍｍに設定することができる。フランジ２２の厚さＦＴは、任意に設定可能であるが、２００μｍ以上２８０μｍ以下に設定することができる。
【００３４】
収容部２１は、歯ブラシ１を覆う収容部本体２４と、ブリスター包装体１０を補強するための補強部３０とを備え、補強部３０はフランジ２２の内縁から前方へ突出する棚状に形成され、収容部本体２４は補強部３０の内縁から前方へ膨出するドーム状に形成されている。歯ブラシ１は、植毛台２ａにおける毛束３の植毛面２ｄを前側へ向けて、収容部２１に収容されている。ただし、植毛面２ｄが台紙１１に対して斜めに配置されるように、歯ブラシ１を収容することもでるし、植毛面２ｄが台紙１１に対して略直交するように、歯ブラシ１を収容することもできる。
【００３５】
収容部本体２４は、歯ブラシ１のブラシ部４を収容するブラシ収容部２５と、歯ブラシ１の首部２ｂを収容する首収容部２６と、歯ブラシ１のハンドル部２ｃの下端部を除く部分を収容するハンドル収容部２７と、ハンドル部２ｃの下端部を収容する下端収容部２８とを備えている。ブラシ収容部２５は、ブラシ部４を覆うブラシ収容部本体２５Ａと、ブラシ収容部本体２５Ａの左方に段落状に配置されるブラシ収容部補強部２５Ｂとを備えている。ただし、収容部本体２５としては、歯ブラシ１を所定の位置に保持した状態に収容できるものであれば任意の構成のものを採用できる。
【００３６】
ブラシ収容部本体２５Ａと下端収容部２８とは、外装体２０の幅方向の中央部から右側へオフセットした位置に形成され、ブラシ収容部本体２５Ａと下端収容部２８とは左側の縦方向のフランジ２２に接近配置され、歯ブラシ１は、外装体２０の幅方向の中央部から右側へオフセットした位置に収容される。ただし、外装体２０の幅方向の中央部から左側へオフセットした位置に歯ブラシ１を収容するように構成することもできるし、外装体２０の幅方向の中央部に歯ブラシ１を収容するように構成することもできる。
【００３７】
ブリスター包装体１０内において歯ブラシ１は、柄２の下端部が下端収容部２８内に配置されて、柄２の下端部の前後方向及び左右方向への移動が規制されるとともに、下方への移動が規制され、またブラシ部４がブラシ収容部本体２５Ａ内に配置されて、植毛台２ａの前後方向及び左右方向への移動が規制されるとともに、上方への移動が規制されるように、ブリスター包装体１０内に保持される。
【００３８】
図３Ａに示すように、ブラシ収容部本体２５Ａの最大突出高さＢＨは、ブラシ部４の高さに応じて任意に設定可能であるが、例えば１４ｍｍ以上２２ｍｍ以下に設定でき、ブラシ収容部本体２５Ａの最大突出高さ部分の最大幅ＢＷは、ブラシ部４の高さに応じて任意に設定可能であるが、例えば１３ｍｍ以上３２ｍｍ以下に設定できる。
【００３９】
ハンドル収容部２７と首収容部２６とブラシ収容部２５とは左右のフランジ２２間の略全幅にわたって設けられ、ハンドル収容部２７の前壁部は、キャッチコピーなどを印刷したシールを貼り付けることができるように、台紙１１と略平行な略平坦面で構成されている。
【００４０】
首収容部２６の前壁部と、ブラシ収容部補強部２５Ｂの前壁部とは、上側へ行くにしたがって台紙１１側へ接近するように連続的に延びる緩やかな傾斜面で構成され、台紙１１のうちの該傾斜面に対面する部分に印刷した商品名などを、該傾斜面を通じて明瞭に透視できるように構成されている。
【００４１】
補強部３０は、収容部本体２４を除くフランジ２２の内側に台紙１１に対して隙間をあけて略平行に設けた棚部３１と、棚部３１の外縁とフランジ２２の内縁間に設けた段差部３２とを備え、フック部１２を補強するフック補強部３３と、収容部本体２４の上部を補強する上部補強部３４と、収容部本体２４の下部を補強する下部補強部３５と、収容部本体２４の側部を補強する補強突条３６とを備えている。ただし、フック補強部３３と上部補強部３４と下部補強部３５とは、任意の組み合わせでそれを構成する段差部３２の高さを異なる高さに設定したり、段差部３２を省略して棚部３１を台紙１１に接着したりすることも可能である。
【００４２】
図５に示すように、補強突条３６は、ブラシ収容部２５と首収容部２６とハンドル収容部２７の左側の側壁部２５ａ、２６ａ、２７ａにおける左側のフランジ２２との連設部の全長にわたって設けられるとともに、右側の側壁部２５ｂ、２６ｂ、２７ｂにおける右側のフランジ２２との連設部の全長にわたって設けられている。
【００４３】
補強突条３６の高さＲＨは、任意に設定可能であるが、ブラシ収容部２５と首収容部２６とハンドル収容部２７の左右の側壁部の強度を十分に確保するため、０．５ｍｍ以上２．０ｍｍ以下に設定することが好ましい。なお、本実施の形態では、上部補強部３４及び下部補強部３５の高さを補強突条３６と同じ高さに設定したが、異なる高さに設定することもできる。
【００４４】
補強突条３６の側方への突出幅ＲＷは、ブラシ収容部２５と首収容部２６とハンドル収容部２７の左右の側壁部の強度を十分に確保するため、０．３ｍｍ以上、より好ましくは０．５ｍｍ以上に設定することが望ましく、ブリスター包装体１０の幅を広く設定したり、ブリスター包装体１０の大幅な設計変更を行ったり、ブリスター包装体１０の設計自由度を低下させたりすることなく、補強突条３６を設けるため、１．０ｍｍ以下、より好ましくは０．８ｍｍ以下に設定することが望ましい。
【００４５】
補強突条３６は、前述のように、ブラシ収容部２５と首収容部２６とハンドル収容部２７の全長にわたって設けることが最も好ましいが、少なくとも、合成樹脂シートを用いて外装体２０を成形したときに、収容部本体２４の側壁部が薄肉になって強度が低下する部分に対応させて設けてあれば、その他の部分に関しては省略することもできる。本実施の形態では、ブラシ収容部本体２５Ａの幅がハンドル収容部２７の幅よりも狭く、ブラシ収容部本体２５Ａの高さがハンドル収容部２７の高さと略同じであり、しかもブラシ収容部本体２５Ａの右側の側壁部２５ｂが左側側の側壁部２５Ａａのようにブラシ収容部補強部２５Ｂがなく、フランジ２２付近から立ち上がっている。このため、ブラシ収容部本体２５Ａの右側の側壁部２５ｂが最も薄肉になり易く、次にハンドル収容部２７の左右の側壁部２７ａ、２７ｂが薄肉になりやすい。したがって、少なくともブラシ収容部本体２５Ａの右側の側壁部２５ｂにおける右側のフランジ２２との連設部に補強突条３６を設けることが好ましく、それに加えて、少なくともハンドル収容部２７の左右の側壁部２７ａ、２７ｂにおける左右のフランジ２２との連設部に補強突条３６を設けることが好ましい。
【００４６】
このブリスター包装体１０では、ブラシ収容部２５の左右の側壁部２５ａ、２５ｂにおけるフランジ２２との連設部と、首収容部２６の左右の側壁部２６ａ、２６ｂにおけるフランジ２２との連設部と、ハンドル収容部２７の左右の側壁部２７ａ、２７ｂにおけるフランジ２２との連設部に、ブラシ収容部２５と首収容部２６とハンドル収容部２７の全長にわたって、側方へ突出する突出幅ＲＷが０．３ｍｍ〜１．０ｍｍの補強突条３６を設けるという簡単な構成で、該補強突条３６により、ブラシ収容部２５と首収容部２６とハンドル収容部２７を補強して、外装体２０の外力に対する変形を抑制できる。
【００４７】
このため、例えば、毛丈の長い歯ブラシ１を収容するために、ブラシ収容部２５の高さを高く設定する場合であっても、ブリスター包装体１０の幅を広く設定したり、外装体２０を構成する合成樹脂シートの厚さを厚くしたりすることなく、ブリスター包装体１０の落下時等における衝撃により、フランジ２２が台紙１１から剥離して、ブリスター包装体１０が破損するという不具合を効果的に防止できる。更に、補強突条３６の突出幅ＲＷが０．３ｍｍ〜１．０ｍｍに設定され、ブラシ収容部２５と首収容部２６とハンドル収容部２７のそれぞれの側壁部を僅かな距離だけ外装体２０の中央部側へ配置させるだけで補強突条３６を形成できるので、ブリスター包装体１０の大幅な設計変更を行ったり、ブリスター包装体１０の設計自由度を低下させたりすることなく、補強突条３６を設けることができる。
【００４８】
以上、本発明の実施形態について説明したが、本発明は前述した実施形態に何ら限定されるものではなく、本発明の要旨を逸脱しない範囲においてその構成を変更し得ることは勿論である。
【符号の説明】
【００４９】
１      歯ブラシ
２      柄
２ａ    植毛台
２ｂ    首部
２ｃ    ハンドル部
２ｄ    植毛面
３      毛束
４      ブラシ部
５      ハンガー
１０    ブリスター包装体
１１    台紙
１１ａ  摘み部
１２    フック部
２０    外装体
２１    収容部
２２    フランジ
２２ａ  重着部
２３    浮き上がり片
２４    収容部本体
２５    ブラシ収容部
２５ａ  側壁部
２５ｂ  側壁部
２５Ａ  ブラシ収容部本体
２５Ａａ  側壁部
２５Ｂ  ブラシ収容部補強部
２６    首収容部
２６ａ  側壁部
２６ｂ  側壁部
２７    ハンドル収容部
２７ａ  側壁部
２７ｂ  側壁部
２８    下端収容部
３０    補強部
３１    棚部
３２    段差部
３３    フック補強部
３４    上部補強部
３５    下部補強部
３６    補強突条
【図１】
2019073296.tif 000003
【図２】
2019073296.tif 000004
【図３】
2019073296.tif 000005
【図４Ａ】
2019073296.tif 000006
【図４Ｂ】
2019073296.tif 000007
【図４Ｃ】
2019073296.tif 000008
【図５】
2019073296.tif 000009
【図６】
2019073296.tif 000010